(57)【要約】【課題】歯間ブラシ部分を交換する際の交換が容易で、歯間ブラシの向きを使い易い方向に向けて使用できるようにした歯間ブラシホルダーを提供する。【解決手段】歯間ブラシ１を取り付けたブラシ支持部２からなるブラシヘッド部Ａと、該ブラシヘッド部Ａのブラシ支持部２を着脱可能に嵌合するヘッド嵌合部３を外面に取付けた第１支持板４と該第１支持板４の一端部にヒンジｂを介して連設した第２支持板５とからなるブラシ角度変換部Ｂと、シャフト体６の一端部に該ブラシ角度変換部Ｂの第１支持板４の他端部をヒンジａを介して連設した第１平坦面７ａを備えた第１端部７と第２支持板５の他端部をヒンジｃを介して連設した第１平坦面７ａに対して直角な第２平坦面８ａを備えた第２端部８とからなるブラシホルダー部Ｃとから構成され、前記第１、第２支持板を各ヒンジを介して折り曲げることにより、歯間ブラシ１の角度を水平乃至垂直に変換可能。【選択図】図１
2004216015.tif 000002
【特許請求の範囲】
【請求項１】
歯間ブラシを取り付けたブラシ支持部からなるブラシヘッド部と、該ブラシヘッド部のブラシ支持部を着脱可能に嵌合するヘッド嵌合部を外面に取付けた第１支持板と該第１支持板の一端部にヒンジを介して連設した第２支持板とからなるブラシ角度変換部と、シャフト体の一端部に該ブラシ角度変換部の第１支持板の他端部をヒンジを介して連設した第１平坦面を備えた第１端部と第２支持板の他端部をヒンジを介して連設した第１平坦面に対して直角な第２平坦面を備えた第２端部とからなるブラシホルダー部とから構成され、前記第１、第２支持板を各ヒンジを介して折り曲げることにより、その互いの内面を前記第１、第２平坦面に対して直角正四辺形の離反姿勢乃至密接姿勢に変換して、前記ブラシヘッド部の歯間ブラシの角度をブラシホルダー部の長手方向に対して平行乃至直角方向に角度変換可能であることを特徴とする歯間ブラシホルダー。
【発明の詳細な説明】
【０００１】
【発明の属する技術分野】
本発明は、歯間ブラシホルダーに関し、歯間ブラシ部分が角度可変となっている構造の長柄状の歯間ブラシホルダーに関する。
【０００２】
【従来の技術】
歯間ブラシ部分が角度可変となっている構造の従来の長柄状の歯間ブラシホルダーとしては、ブラシホルダーの長手方向に対して直交方向に設けた支軸を介して歯間ブラシ部をブラシホルダーに回動可能に設けた構造のものがあり、歯間ブラシ部を長柄状の歯間ブラシホルダーに対して使い易い所定の角度に調整することができるようになっている。
【０００３】
【特許文献１】
特開平９−１２１９４２号公報
【特許文献２】
実公昭５４−５１６５号公報
【０００４】
【発明が解決しようとする課題】
また、上記のような従来の歯間ブラシホルダーは、歯間ブラシ部を交換する際には、ブラシホルダーから支軸部分を取り外して交換する必要があるが、その支軸部分をブラシホルダーから取り外す際に簡単に外すことができず、そのために時間が掛かったり、ブラシホルダー本体を破損したりして、交換が面倒であるなどの不都合があった。
【０００５】
本発明の課題は、これらの不都合を解消することにあり、歯間ブラシ部分を交換する際の交換が容易で、歯間ブラシの向きを使い易い方向に向けて使用できるようにした歯間ブラシホルダーを提供することにある。
【０００６】
【課題を解決するための手段】
本発明の請求項１に係る発明は、図示するように、歯間ブラシ１を取り付けたブラシ支持部２からなるブラシヘッド部Ａと、該ブラシヘッド部Ａのブラシ支持部２を着脱可能に嵌合するヘッド嵌合部３を外面に取付けた第１支持板４と該第１支持板４の一端部にヒンジｂを介して連設した第２支持板５とからなるブラシ角度変換部Ｂと、シャフト体６の一端部に該ブラシ角度変換部Ｂの第１支持板４の他端部をヒンジａを介して連設した第１平坦面７ａを備えた第１端部７と第２支持板５の他端部をヒンジｃを介して連設した第１平坦面７ａに対して直角な第２平坦面８ａを備えた第２端部８とからなるブラシホルダー部Ｃとから構成され、前記第１、第２支持板４、５を各ヒンジａ、ｂ、ｃを介して折り曲げることにより、その互いの内面を前記第１、第２平坦面７ａ、８ａに対して直角正四辺形の離反姿勢乃至密接姿勢に変換して、前記ブラシヘッド部Ａの歯間ブラシ１の角度をブラシホルダー部Ｃの長手方向に対して平行乃至直角方向に角度変換可能であることを特徴とする歯間ブラシホルダーである。
【０００７】
【発明の実施の形態】
本発明の歯間ブラシホルダーの実施の形態を、図１に示す全体斜視図、図２に示す部分側断面図に沿って以下に詳細に説明する。
【０００８】
本発明の歯間ブラシホルダーは、図示するように、ブラシヘッド部Ａとブラシ角度変換部Ｂとブラシホルダー部Ｃとにより構成されていて、ブラシヘッド部Ａは、歯間ブラシ１を取り付けたブラシ支持部２とにより構成され、例えば、歯間ブラシ１はブラシ支持部２のブラシ取付凸部２ａに取付けられている。
【０００９】
ブラシ角度変換部Ｂは、ヘッド嵌合部３を外面に取付けた第１支持板４と、該第１支持板４の一端部にヒンジｂを介して連設した第２支持板５とから構成されている。
【００１０】
前記ブラシヘッド部Ａのブラシ支持部２は、図２の側断面図に示すようにブラシ角度変換部Ｂのヘッド嵌合部３に凹凸嵌合方式により着脱可能に嵌合して取付けられており、例えば、ブラシ支持部２は、その下部に嵌合凸部２ｂを備えていて、ヘッド嵌合部３の嵌合凹部３ａ内に密に嵌合して取付けられている。
【００１１】
ブラシホルダー部Ｃは、図１、図２に示すように、シャフト体６の一端部に、第１平坦面７ａ（例えば垂直平坦面）を備えた第１端部７と、該第１平坦面７ａに対して直角な第２平坦面８ａ（例えば水平平坦面）を備えた第２端部８とを備えている。
【００１２】
第１端部７には、ブラシ角度変換部Ｂの前記第１支持板４の他端部がヒンジａを介して連設されており、第２端部８には、ブラシ角度変換部Ｂの前記第２支持板５の他端部がヒンジｃを介して連設されている。
【００１３】
前記第１支持板４のヒンジａ、ｂ間の長さと第２支持板５のヒンジｂ、ｃ間の長さ、及び第１平坦面７ａの長さと第２平坦面８ａの長さは同一に設定され、第１、第２支持板４、５内面と、第１、第２平坦面７ａ、８ａとで作る四辺形は、直角正四辺形状となっていて、直角正四辺形状の内側は空間部９が形成されている。
【００１４】
図３（ａ）〜（ｃ）は、本発明の歯間ブラシホルダーの使用方向の説明図であり、図３（ａ）の全体側面図、図３（ｃ）の全体背面図に示すように、第１、第２支持板４、５の互いの内面を、各ヒンジａ、ｂ、ｃを介して、前記第１、第２平坦面７ａ、８ａに対して直角正四辺形の離反姿勢となるように折り立てることにより、ブラシヘッド部Ａの歯間ブラシ１の角度を、ブラシホルダー部Ｃの長手方向に対して平行方向に伸ばすことができる。
【００１５】
また、上記図３（ａ）に示した歯間ブラシ１の角度姿勢にあるブラシヘッド部Ａのブラシ支持部２又はヘッド嵌合部３を図面左方向に向かって手指にて押し、図３（ｃ）の全体側面図に示すように、第１、第２支持板４、５の互いの内面を各ヒンジａ、ｂ、ｃを介して、前記第１、第２平坦面７ａ、８ａに対して密接させた姿勢となるように折り曲げることにより、前記ブラシヘッド部Ａの歯間ブラシ１の角度をブラシホルダー部Ｃの長手方向に対して直角方向に角度変換することができる。
【００１６】
ブラシヘッド部Ａのブラシ支持部２の角度変換動作は、ブラシ支持部２のブラシ取付凸部２ａ又はヘッド嵌合部３を直接手指で触れて押しながら姿勢変換させることができる。
【００１７】
例えば、図３（ｃ）に示すように、歯間ブラシ１をブラシホルダー部Ｂの長手方向に対して９０度の水平方向に角度変換させて、歯間ブラシ１の向きを水平方向の姿勢にすることにより、ホルダー部分を手で縦方向に持ちながら、歯間ブラシ１を略水平方向にして口腔内に挿入し、楽な姿勢で歯間の清掃を行うことができる。
【００１８】
上記ブラシヘッド部Ａの歯間ブラシ１を取り替え交換する場合は、ブラシ角度変換部Ｂのヘッド嵌合部３から、凹凸嵌合にて取付けられているブラシヘッド部Ａを取り外し、新規な歯間ブラシ１を取り付けたブラシ支持部２を、ヘッド嵌合部３に嵌合取り付けでき、簡単に交換することができる。
【００１９】
【発明の効果】
本発明の歯間ブラシホルダーは、ブラシヘッド部と、該ブラシヘッド部の角度を変換可能なブラシ角度変換部と、ブラシホルダー部とから構成されており、射出成形加工によりプラスチック製品として製造でき、本発明の歯間ブラシホルダーを使用する際には、第１支持板と第２支持板とをヒンジを介して折り曲げるだけで、使い易い角度に容易に変換でき、また歯間ブラシ部分を交換する際には、ヘッドブラケット部から歯間ブラシを取り付けたブラシ支持部を取り外すことにより、歯間ブラシを簡単に取り外すして、新規な歯間ブラシに交換することができ、簡単に歯間ブラシの交換が可能である。
【図面の簡単な説明】
【図１】本発明の歯間ブラシホルダーの全体斜視図。
【図２】本発明の歯間ブラシホルダーの部分側断面図。
【図３】（ａ）〜（ｃ）は本発明の歯間ブラシホルダー使用方法の説明する説明図。
【符号の説明】
Ａ…ブラシヘッド部  Ｂ…ブラシ角度変換部  Ｃ…ブラシホルダー部
ａ、ｂ、ｃ…ヒンジ
１…歯間ブラシ  ２…ブラシ支持部  ３…ヘッド嵌合部  ４…第１支持板
５…第２支持板  ６…シャフト体  ７…第１平坦面  ８…第２平坦面
９…空間部
【図１】
2004216015.tif 000003
【図２】
2004216015.tif 000004
【図３】
2004216015.tif 000005